(57)【要約】【課題】小径の根元部と大径の先端部を有するストラップ係合ピンに取り付けるストラップ止め具を単部品で構成し、より簡素で安価なストラップを提供すること。【解決手段】小径の根元部と大径の先端部を有するストラップ係合ピンに取り付けられるストラップにおいて、前記ストラップはストラップ紐と前記ストラップ紐の両端にそれぞれ取り付けられたストラップ止め具から構成され、前記ストラップ止め具は、前記ストラップ紐が通る開口１の片側に前記係合ピンの大径部よりも小さい開口２を備え、反対側には前記係合ピンの大径部よりも大きい開口３を備え、前記ストラップ紐は、両端にそれぞれ開口を備え、前記ストラップの使用状態においては、前記ストラップ紐の開口は前記ストラップ止め具を通過する折り返し部には位置しないことを特徴とする。【選択図】  図１
2015123238.tif 000002
【特許請求の範囲】
【請求項１】
小径の根元部（２ａ）と大径の先端部（２ｂ）を有するストラップ係合ピン（２）に取り付けられるストラップ（３）において、
前記ストラップ（３）はストラップ紐（４）と前記ストラップ紐（４）の両端にそれぞれ取り付けられたストラップ止め具（５）から構成され、
前記ストラップ止め具（５）は、前記ストラップ紐（４）が通る開口１（５ａ）の片側に前記係合ピン（２）の大径部（２ｂ）よりも小さい開口２（５ｄ）を備え、反対側には前記係合ピンの大径部（２ｂ）よりも大きい開口３（５ｃ）を備え、
前記ストラップ紐（４）は、両端にそれぞれ開口（４ａ）を備え、
前記ストラップ（３）の使用状態においては、前記ストラップ紐（４）の開口（４ａ）は前記ストラップ止め具（５）の開口１（５ａ）を通過する折り返し部には位置しないことを特徴とするストラップ（３）。
【請求項２】
小径の根元部（２ａ）と大径の先端部（２ｂ）を有するストラップ係合ピン（２）に取り付けられるストラップ（３）において、
前記ストラップ（３）はストラップ紐（４）と前記ストラップ紐（４）の両端にそれぞれ取り付けられたストラップ止め具（５）から構成され、
前記ストラップ止め具（５）は、前記ストラップ紐（４）が通る開口１（５ａ）の片側に前記係合ピン（２）の大径部（２ｂ）よりも小さい開口２（５ｄ）を備え、反対側には前記係合ピン（２）の小径部（２ａ）よりも大きい切断開口（５ｅ）を備え、
前記ストラップ紐（４）は、両端にそれぞれ開口（４ａ）を備え、
前記ストラップ（３）の使用状態においては、前記ストラップ紐（４）の開口（４ａ）は前記ストラップ止め具（５）の開口１（５ａ）を通過する折り返し部には位置しないことを特徴とするストラップ（３）。
【請求項３】
前記ストラップ（３）の使用状態において、前記ストラップ紐（４）の開口（４ａ）は、紐の先端から前記ストラップ止め具（５）の開口１（５ａ）を通過する折り返し部の間に位置しないことを特徴とする、請求項１又は請求項２に記載のストラップ。
【発明の詳細な説明】
【技術分野】
【０００１】
本発明は、ストラップに関するものである。詳しくは、電子機器等を吊り下げるストラップ止め具に関するものである。
【背景技術】
【０００２】
従来より、デジタルカメラ等の可搬の電子機器には、機器を吊り下げるストラップを着脱できるようにしたものが知られている。ストラップを用いて吊り下げることで、ユーザーが機器を持ち運びやすくする他、持ち運び時や操作時に機器の不意の落下を防止するという役割を担っている。
【０００３】
また近年では、機器側のストラップ取り付け部には、ストラップ紐を挿通させる開口部が備えられておらず、軸部の先端を太径にしただけの簡易的な取り付け部のものが知られている。こうした取り付け部に対しては、ユーザーがストラップの交換時等に容易に着脱することを考慮し、ストラップ側の取り付け部に、軸部を挟持して着脱する特殊な機構を備えたものが知られている。
【０００４】
特許文献１では軸部の狭持を２点の樹脂部品で行う構成のストラップ止め具が開示されている。
【０００５】
また、特許文献２では軸部の狭持を２点の同一形状の板金部材と１点のピンで行う構成のストラップ止め具が開示されている。
【先行技術文献】
【特許文献】
【０００６】
【特許文献１】実公平０１−０３５０４２号公報
【特許文献２】特開平１１−７００１２号公報
【発明の概要】
【発明が解決しようとする課題】
【０００７】
しかしながら、上記のような軸部を挟持する着脱機構は部品点数が複数になり、コストアップの要因の一つとなっている。
【０００８】
そこで本発明の目的は、小径の根元部と大径の先端部を有するストラップ係合ピンに取り付けるストラップ止め具を単部品で構成し、より簡素で安価なストラップを提供することである。
【課題を解決するための手段】
【０００９】
上記目的を達成するために、本発明は、
小径の根元部と大径の先端部を有するストラップ係合ピンに取り付けられるストラップにおいて、
前記ストラップはストラップ紐と前記ストラップ紐の両端にそれぞれ取り付けられたストラップ止め具から構成され、
前記ストラップ止め具は、前記ストラップ紐が通る開口１の片側に前記係合ピンの大径部よりも小さい開口２を備え、反対側には前記係合ピンの大径部よりも大きい開口３を備え、
前記ストラップ紐は、両端にそれぞれ開口を備え、
前記ストラップの使用状態においては、前記ストラップ紐の開口は前記ストラップ止め具を通過する折り返し部には位置しないことを特徴とする。
【発明の効果】
【００１０】
本発明によれば、小径の根元部と大径の先端部を有するストラップ係合ピンに取り付けるストラップ止め具を単部品で構成し、より簡素で安価なストラップを提供することができる。
【図面の簡単な説明】
【００１１】
【図１】第１の実施形における、ストラップをストラップ係合ピンに取り付ける一連の流れを示す図
【図２】第１の実施形における、ストラップの使用状態を示す図
【図３】第１の実施形における、ストラップ係合ピンを示す図
【図４】第１の実施形における、ストラップ止め具を示す図
【図５】第１の実施形における、ストラップ止め具にストラップ紐を挿通した状態を示す図
【図６】ストラップ紐の開口が、本実施形と異なる場所に位置する場合の状態を示す図
【図７】第２の実施形における、ストラップ止め具を示す図
【図８】第２の実施形における、ストラップ止め具にストラップ紐を挿通した状態を示す図
【発明を実施するための形態】
【００１２】
以下に、本発明の好ましい実施の形態を、添付の図面に基づいて詳細に説明する。
【００１３】
［実施例１］
図２は、本発明の第１の実施形に係るストラップの使用状態を示す図である。
【００１４】
本発明についてはデジタルカメラを例にして説明する。１はデジタルカメラ本体であり、デジタルカメラ１の両側面にはストラップ係合ピン２が備えられている。ストラップ係合ピン２はデジタルカメラ１の側面に対して垂直に突出した状態でデジタルカメラ１に固定されている。ストラップ３はストラップ紐４、ストラップ止め具５、調整部材６、止め輪７から構成されている。ストラップ３のデジタルカメラ１への取り付けは、ストラップ止め具５をストラップ係合ピン２に係合させることで行われる。
【００１５】
図３はストラップ係合ピン２を説明する図である。ストラップ係合ピン２は、金属部材によって成形されており、根元側の小径部２ａと先端側の大径部２ｂから構成されている。以降、小径部２ａの径をＡ、大径部２ｂの径をＢ、と定義して説明する。
【００１６】
図４はストラップ止め具５の形状を説明する図である。ストラップ止め具５は金属や高強度の樹脂等で成形された、開口を備える板状の部材である。ストラップ止め具５の開口はストラップ紐３を挿通するための細長の紐開口５ａと、紐開口５ａを挟んで大開口５ｃと小開口５ｄが設けられている。ここで、大開口５ｃの大きさＣは、ストラップ係合ピン２の大径部２ｂの径Ｂよりも大きく（Ｃ＞Ｂ）設定されている。また、小開口５ｄの大きさＤは、ストラップ係合ピン２の大径部２ｂの径Ｂよりも小さく、小径部２ａの径Ａよりも大きく（Ｂ＞Ｄ＞Ａ）設定されている。
【００１７】
図５はストラップ紐４をストラップ止め具５に挿通した状態を示す図である。図５（ａ）は挿通したストラップ紐４の先端側から見た図、図５（ｂ）は反対側から見た図である。図５（ｂ）に示すように、ストラップ紐４のストラップ止め具５に挿通した紐の先端とは反対側に長穴状の開口４ａが設けられている。ストラップの使用時には図５に示した状態で、調整部材６、止め輪７を取り付ける。
【００１８】
次に、ストラップ３をストラップ係合ピン２に取り付ける方法を説明する。図１はストラップ３をストラップ係合ピン２に取り付ける一連の流れを示す図である。簡単のため、調整部材６と止め輪７の図示は省略する。
【００１９】
まず、図１（ａ）に示すように、図５の状態からストラップ紐４を更に挿通し、ストラップ紐の開口４ａがストラップ止め具５の紐開口５ａを通過する位置まで移動させる。そうすることにより、ストラップ紐４の開口４ａからストラップ止め具５の大開口５ｃが露出する。その状態で、図１（ｂ）に示すように、ストラップ係合ピン２を先端からストラップ止め具５の大開口５ｃに挿通する。前述した通り、ストラップ止め具５の大開口５ｃはストラップ係合ピン２の大径部２ｂの径よりも大きいので、大径部２ｂは大開口５ｃを通過することができる。
【００２０】
次に、図１（ｃ）に示すように、ストラップ係合ピン２の大径部２ｂがストラップ止め具５の開口を通過した状態で、大開口５ｃから小開口５ｄへ移動させる。最後に、図１（ｄ）に示すように、ストラップ紐４を再度引き戻し、開口４ａを図５に示す状態まで移動させる。
【００２１】
図１（ｄ）に示す状態では、ストラップ係合ピン２はストラップ止め具５の小開口５ｄに位置しており、前述した通り、ストラップ係合ピン２の大径部２ｂは小開口５ｄよりも大きいので、ストラップ止め具５からストラップ係合ピン２を引き抜くことはできない。
【００２２】
ストラップ係合ピン２をストラップ止め具５の大開口５ｃまで移動させればストラップ止め具５からストラップ係合ピンを引き抜くことはできる。しかし、図１（ｄ）に示す状態においては紐開口５ａにストラップ紐４が挿通されているためストラップ係合ピン２を小開口５ｄから大開口５ｃへ移動させることができない。
【００２３】
したがって、図１（ｄ）に示す状態においては、ストラップ係合ピン２とストラップ止め具５は係合され、ストラップ３がストラップ係合ピン２から外れることは無い。
【００２４】
ストラップ３をストラップ係合ピン２から取り外すときは、上述した作業を逆に行えばよい。
【００２５】
本実施例では、ストラップ３の使用状態において、ストラップ紐４の開口４ａをストラップ止め具５の紐開口５ａからストラップ紐４の先端の間には位置させていない。
【００２６】
仮に、図６（ａ）に示すように、ストラップ３の使用状態において、ストラップ紐４の開口４ａをストラップ止め具５の紐開口５ａからストラップ紐４の先端の間には位置させるとする。
【００２７】
そうすると、カメラ本体の重みでストラップ紐４がずれた場合、図６（ｂ）に示すように、ストラップ紐４の開口４ａがストラップ止め具５の紐開口５ａまで移動し、ストラップ係合ピン２がストラップ止め具５から外れてしまう可能性がある。
【００２８】
したがって、ストラップ３の使用状態において、ストラップ紐４の開口４ａをストラップ止め具５の紐開口５ａからストラップ紐４の先端の間には位置させない必要がある。
【００２９】
本実施形の説明においては、ストラップ３の片端についてのみ行ったが、もう片端の構成についても、上述した内容と同様である。
【００３０】
［実施例２］
次に、第２の実施形態のストラップについて説明する。本実施形態のストラップは、ストラップ紐４、ストラップ止め具５、調整部材６、止め輪７から構成されているところは第１の実施形態と同じであるが、ストラップ止め具５の形状、およびストラップ紐４の開口４ａの形状が第１の実施形態と異なる。図７はストラップ止め具５の形状を説明する図である。
【００３１】
本実施形のストラップ止め具５は、紐開口５ａ、小開口５ｄを備えるが、紐開口５ａを隔てた反対側は、ストラップ止め具５が切断されている。ここで、切断部５ｅの隙間の大きさＥはストラップ係合ピン２の小径部２ａの径Ａよりも大きく（Ｅ＞Ａ）設定されている。したがって、ストラップ３をストラップ係合ピン２に取り付ける際は、ストラップ係合ピン２の小径部２ａを、ストラップ止め具５の切断部５ｅの間を通過させることによって、ストラップ係合ピン２をストラップ止め具５の小径部５ｄに位置させることができる。
【００３２】
図８はストラップ紐４をストラップ止め具５に挿通した状態を示す図である。第１の実施形態と異なり、ストラップ紐４の開口４ａの幅は、ストラップ係合ピン２の径よりも小さく、スリット状になっている。
【００３３】
しかし、ストラップ紐４は布や革等の柔らかい材質で形成されているため、ストラップ３をストラップ係合ピン２に取り付ける際は、ストラップ紐４の開口４ａを押し広げながらストラップ係合ピン２を挿通させることができる。ストラップ紐４の開口４ａをスリット状にすることにより、ストラップ紐４の強度および見た目の品位を高めることができる。
【００３４】
以降、ストラップ３をストラップ係合ピン２に取り付ける作業内容は第１の実施形態と同じであるので省略する。
【００３５】
以上、本発明の好ましい実施形態について説明したが、本発明はこれらの実施形態に限定されず、その要旨の範囲内で種々の変形及び変更が可能である。
【符号の説明】
【００３６】
１      デジタルカメラ本体
２      ストラップ係合ピン
２ａ     小径部
２ｂ    大径部
３      ストラップ
４      ストラップ紐
４ａ    開口
５      ストラップ止め具
５ａ    紐開口
５ｃ    大開口
５ｄ    小開口
【図１】
2015123238.tif 000003
【図２】
2015123238.tif 000004
【図３】
2015123238.tif 000005
【図４】
2015123238.tif 000006
【図５】
2015123238.tif 000007
【図６】
2015123238.tif 000008
【図７】
2015123238.tif 000009
【図８】
2015123238.tif 000010